(57)【特許請求の範囲】
【請求項１】
燃料電池を内蔵していて電気エネルギーと熱エネルギーとを同時に発生させる発電部を有し、前記発電部で発生させた熱によって湯水を加熱するコージェネレーションシステムであって、
湯水を貯留する貯留タンクと、
湯水が通過する複数の流路を有し、
前記流路には、発電部の熱によって加熱された湯水を貯留タンクに供給する際に水流が生じる貯湯時水流発生流路と、貯留タンクに貯留された湯水をシステム外に排出する際に水流が発生する給湯時水流発生流路と、加熱された湯水を貯留タンクに供給する際においても貯留タンクに貯留された湯水をシステム外に排出する際においても水流が生じない１又は２以上の滞留流路があるコージェネレーションシステムにおいて、
発電部が一定時間に渡って連続運転していることを条件の一つとして、発電部の運転を維持し、前記貯留タンクへの蓄熱を維持した状態で前記滞留流路のいずれかに強制的に貯留タンク内の湯水を循環させる湯水強制循環動作を行うものであり、
貯留タンクと発電部とを環状につなぐ熱回収用回路を有し、貯留タンクの下部から排出させた湯水を発電部で発生させた熱によって加熱し、加熱された湯水を上部側から貯留タンクに戻すことによって貯留タンク内に温度成層を形成させるものであり、
湯水強制循環動作の際には、貯留タンクの下部側から湯水を排出させて滞留流路に流し、発電部で発生させた熱によって加熱された湯水と滞留流路を通過した湯水の双方を同時に貯留タンクの上部側に戻し、前記滞留流路を通過した湯水の流速が前記熱回収用回路内の湯水の流速よりも低速になるように制御することを特徴とするコージェネレーションシステム。
【請求項２】
滞留流路内の湯水の温度を検知する滞留水温度検知手段を有し、滞留水温度検知手段の検知温度が一定以下を維持したままの状態が一定時間に渡って続いていることを条件の一つとして湯水強制循環動作を行うことを特徴とする請求項１に記載のコージェネレーションシステム。
【請求項３】
２以上の滞留流路を有し、水流を生じさせる滞留流路を切り替えて湯水強制循環動作を行うことを特徴とする請求項１又は２に記載のコージェネレーションシステム。
【請求項４】
１又は一群の滞留流路に対して湯水強制循環動作を行い、その後に一定時間を経た後で他の１又は一群の滞留流路に対して湯水強制循環動作を行うことを特徴とする請求項１乃至３のいずれかに記載のコージェネレーションシステム。
【請求項５】
前記燃料電池は、固体酸化物形燃料電池であることを特徴とする請求項１乃至４のいずれかに記載のコージェネレーションシステム。
【発明の詳細な説明】
【技術分野】
【０００１】
本発明は、燃料電池を使用したコージェネレーションシステムに関するものである。
【背景技術】
【０００２】
従来から、発電機で電力を発電すると共に、その際に発生する排熱を給湯や暖房等に利用できるコージェネレーションシステムが知られている。そして、この種のシステムに採用される発電機としては、燃料電池によるものや、ガスエンジンによるものがある。近年では、固体酸化物形燃料電池（以下、ＳＯＦＣとも言う）が実用化されている（例えば、特許文献１）。このＳＯＦＣは、ガスエンジンとは異なり、二酸化炭素を排出せず、ガスエンジンや公知の他の種類の燃料電池（例えば、溶融炭酸塩形燃料電池、リン酸形燃料電池、固体高分子形燃料電池）よりも高い発電効率を有するという利点がある。
【０００３】
ＳＯＦＣは、他の形式の燃料電池の種類よりも、作動に適した温度（作動温度）が摂氏７００度〜摂氏１，０００度と高温であるため、作動温度を確保するために比較的長い準備期間を要する。また、一般的にこのような燃料電池には、この作動温度が外乱などによって乱れないように、保温部材等によって覆われた構成とされている。
【０００４】
そのため、ＳＯＦＣを用いたコージェネレーションシステムは、ＳＯＦＣを一度稼働させると、給湯運転や追い焚き運転、暖房運転といった要求がない場合でも、１ヶ月程度連続的に運転させる。
【先行技術文献】
【特許文献】
【０００５】
【特許文献１】特開２０１０−１５１３８４号公報
【発明の概要】
【発明が解決しようとする課題】
【０００６】
家庭用のコージェネレーションシステムは、電力と熱とを同時に発生させるものである。ここで、電力については、発生させる時刻と消費すべき時刻が概ね合致している。また、発電量と消費量についてもある程度のバランスがとれている。
これに対して熱は、発生する時刻と、消費する時刻が甚だしくずれている場合が多い。また単位時間あたりにおける発熱能力と、消費時における単位時間当たりの熱の必要量は大きく相違する。
即ち、家庭において、熱を消費する時刻は限られている。また、家庭において、熱需要が最も高いのは風呂であり、風呂では短時間の間に大きな熱量を消費する。
【０００７】
そこで、家庭用のコージェネレーションシステムでは、貯留タンクを設け、発生した熱によって湯を作り、この湯を貯留タンクに溜置く構成が採用されている。
即ち、家庭用のコージェネレーションシステムでは、発電部と貯留タンクとを備え、両者の間を環状に結ぶ熱回収用回路が設けられている。そして発電部で発生した熱によって熱回収用回路を流れる湯水を昇温し、貯留タンクに溜める（以下、蓄熱運転ともいう）。
また、家庭用のコージェネレーションシステムでは、湯水が保有する熱を利用するための流路として、風呂を追い焚きするための流路や、暖房器に熱を供給する流路等を備えているものが多い。
これらの熱を利用するための流路は、多くの場合、蓄熱運転の際に水流が発生しない。即ち、ＳＯＦＣを用いたコージェネレーションシステムでは、ＳＯＦＣが稼働していても、湯水が循環せず、湯水が滞留する流路（以下、滞留流路とも言う）がある。
そのため、ＳＯＦＣを用いたコージェネレーションシステムを長時間使用すると、滞留流路内で湯水の滞留状態が続き、滞留流路内の湯水の温度が下がる。そのため、温度が低下した滞留流路内にレジオネラ菌が発生するおそれがあった。
【０００８】
また、ＳＯＦＣを用いたコージェネレーションシステムは、上記したように給湯運転や追い焚き運転、暖房運転を行わない場合であっても、運転を継続し続けなければならず、蓄熱運転を維持し続ける。即ち、蓄熱運転に使用する回路（以下、熱回収用回路とも言う）においては、水流が生じており、湯水が高温となっているが、蓄熱運転に使用する回路以外の流路については、湯水が滞留しており、この滞留状態を維持している。即ち、この滞留状態を長時間継続すると、流路内の湯水の温度が下がり、それらの流路にレジオネラ菌が発生するおそれがあった。
【０００９】
そこで、本発明は、上記した問題点を解決するものであり、レジオネラ菌を死滅させることのできるコージェネレーションシステムを提供することを目的とする。
【課題を解決するための手段】
【００１０】
上記した課題を解決するための請求項１に記載の発明は、燃料電池を内蔵していて電気エネルギーと熱エネルギーとを同時に発生させる発電部を有し、前記発電部で発生させた熱によって湯水を加熱するコージェネレーションシステムであって、湯水を貯留する貯留タンクと、湯水が通過する複数の流路を有し、前記流路には、発電部の熱によって加熱された湯水を貯留タンクに供給する際に水流が生じる貯湯時水流発生流路と、貯留タンクに貯留された湯水をシステム外に排出する際に水流が発生する給湯時水流発生流路と、加熱された湯水を貯留タンクに供給する際においても貯留タンクに貯留された湯水をシステム外に排出する際においても水流が生じない１又は２以上の滞留流路があるコージェネレーションシステムにおいて、発電部が一定時間に渡って連続運転していることを条件の一つとして、発電部の運転を維持し、前記貯留タンクへの蓄熱を維持した状態で前記滞留流路のいずれかに強制的に貯留タンク内の湯水を循環させる湯水強制循環動作を行うものであり、貯留タンクと発電部とを環状につなぐ熱回収用回路を有し、貯留タンクの下部から排出させた湯水を発電部で発生させた熱によって加熱し、加熱された湯水を上部側から貯留タンクに戻すことによって貯留タンク内に温度成層を形成させるものであり、湯水強制循環動作の際には、貯留タンクの下部側から湯水を排出させて滞留流路に流し、発電部で発生させた熱によって加熱された湯水と滞留流路を通過した湯水の双方を同時に貯留タンクの上部側に戻し、前記滞留流路を通過した湯水の流速が前記熱回収用回路内の湯水の流速よりも低速になるように制御することを特徴とするコージェネレーションシステムである。
すなわち、請求項１に記載の発明は、燃料電池を内蔵していて電気エネルギーと熱エネルギーとを同時に発生させる発電部を有し、前記発電部で発生させた熱によって湯水を加熱するコージェネレーションシステムであって、湯水を貯留する貯留タンクと、湯水が通過する複数の流路を有し、前記流路には、発電部の熱によって加熱された湯水を貯留タンクに供給する際に水流が生じる貯湯時水流発生流路と、貯留タンクに貯留された湯水をシステム外に排出する際に水流が発生する給湯時水流発生流路と、加熱された湯水を貯留タンクに供給する際においても貯留タンクに貯留された湯水をシステム外に排出する際においても水流が生じない１又は２以上の滞留流路があるコージェネレーションシステムにおいて、発電部が一定時間に渡って連続運転していることを条件の一つとして、発電部の運転を維持したままの状態で前記滞留流路のいずれかに強制的に貯留タンク内の湯水を循環させる湯水強制循環動作を行うことを特徴とする。
【００１１】
かかる構成によれば、加熱された湯水を貯留タンクに供給する際においても貯留タンクに貯留された湯水をシステム外に排出する際においても水流が生じない１又は２以上の滞留流路を有している。即ち、滞留流路は、加熱された湯水を貯留タンクに供給する際や貯留タンクに貯留された湯水をシステム外に排出する際といった通常運転時に水流が生じないため、温度が下がっている時間が長く、レジオネラ菌が繁殖しやすい場所といえる。
本発明では、発電部が一定時間に渡って連続運転していることを条件の一つとして、発電部の運転を維持したままの状態で前記滞留流路のいずれかに強制的に貯留タンク内の湯水を循環させる湯水強制循環動作を行う構成としている。
例えば、定期的に前記滞留流路のいずれかに強制的に貯留タンク内の加熱された湯水を循環させることで、滞留流路内のレジオネラ菌を死滅させることが可能である。
また、発電部の運転を維持したままの状態で湯水強制循環動作を行うため、貯留タンクへの蓄熱を維持できる。
また、燃料電池を利用したコージェネレーションシステムでは、急な熱需要に備えて、バーナ等の補助熱源を備えているものがあるが、本発明によると、貯留タンクの湯水を利用して、滞留流路内のレジオネラ菌を死滅させるので、給湯時にシステム内のバーナ等の補助熱源を燃焼させ循環させるなどの衛生対応が不要となる。即ち、バーナ等の補助熱源を使用する必要がなく、余分なガス等の消費を抑えることができる。
【００１２】
請求項２に記載の発明は、滞留流路内の湯水の温度を検知する滞留水温度検知手段を有し、滞留水温度検知手段の検知温度が一定以下を維持したままの状態が一定時間に渡って続いていることを条件の一つとして湯水強制循環動作を行うことを特徴とする請求項１に記載のコージェネレーションシステムである。
【００１３】
かかる構成によれば、滞留水温度検知手段の検知温度が一定以下を維持したままの状態が一定時間に渡って続いていることを条件の一つとして湯水強制循環動作を行う。
例えば、滞留水温度検知手段の検知温度がレジオネラ菌の至適温度（摂氏３６度）より高い温度を基準とし、滞留水温度検知手段の検知温度が基準よりも高い温度の場合には、湯水強制循環動作を行わないという設定を行うことによって、湯水強制循環動作時に消費するエネルギーを押さえることが可能である。
【００１４】
また、上記構成において、２以上の滞留流路を有し、水流を生じさせる滞留流路を切り替えて湯水強制循環動作を行うことが好ましい（請求項３）。
【００１５】
請求項４に記載の発明は、１又は一群の滞留流路に対して湯水強制循環動作を行い、その後に一定時間を経た後で他の１又は一群の滞留流路に対して湯水強制循環動作を行うことを特徴とする請求項１乃至３のいずれかに記載のコージェネレーションシステムである。
【００１６】
１又は一群の滞留流路に対して湯水強制循環動作を行い、その後に一定時間を経た後で他の１又は一群の滞留流路に対して湯水強制循環動作を行うため、貯留タンクに温度が安定した湯水を常時導入しておくことが可能である。
【００１７】
ところで、燃料電池を用いたコージェネレーションシステムの一形態として、貯留タンクに温度成層を形成させるものが知られている。
この形式のコージェネレーションシステムでは、貯留タンクと発電部とを繋ぐ熱回収用回路を有し、貯留タンク及び熱回収用回路内は常に湯水で満たされている。そして蓄熱運転の際には、貯留タンクの下部から湯水を取り出し、発電部を経由して貯留タンクに湯水を戻す。
その結果、高温の湯水が貯留タンクに対し貯留タンクの上部から供給される。ここで、周知の通り、高温の湯水は、低温の湯水よりも密度が低いので、貯留タンクに高温の湯水を供給すると、高温の湯水は上方に溜まり、低温の湯水は底側にたまる。そのため、仮に高温の湯水を貯留タンクの下部側から供給すると、貯留タンク内で対流が生じ、内部の湯水の温度は一様になる。
【００１８】
これに対して、高温の湯水を貯留タンクの上部側から供給すると、貯留タンク内に対流は起きない。そのため、高温の湯水を貯留タンクの上部側から供給すると貯留タンクの上部側に高温の湯水が溜まり、貯留タンクの下部に低温の湯水が残る。
即ち、高温の湯水を貯留タンクの上部側から供給すると、貯留タンク内で高温の湯水が溜まった領域と、低温の湯水が溜まった領域とに明確に分かれる。
【００１９】
そして、貯留タンク内の湯水を使用する場合には、貯留タンクに対し貯留タンクの下部から新たに低温の湯水を供給する。その結果、貯留タンクの上部に溜まっている高温の湯水が押し出され、所望の用途に供される。
高温の湯水を使用することなく、貯留タンクの上部から高温の湯水を供給し続けると、貯留タンク内における高温の湯水が占める領域が増加し、遂には貯留タンク内が高温の湯水で満たされることとなる。
即ち、高温の湯水を使用することなく、貯留タンクの上部から高温の湯水を供給し続けると、貯留タンク内における高温層と低温層との境界が次第に下がり、遂には貯留タンク内が高温の湯水でいっぱいになる。
そこで本発明者らは、この様な貯留タンク内が高温の湯水で満たされた場合には、貯留タンクの下部からでも高温の湯水が取り出せることに注目し、貯留タンクの下部から高温の湯水を取り出して滞留流路に流すことを思いついた。
【００２０】
上記した知見を基に導き出された請求項１に記載の発明は、貯留タンクと発電部とを環状につなぐ熱回収用回路を有し、貯留タンクの下部から排出させた湯水を発電部で発生させた熱によって加熱し、加熱された湯水を上部側から貯留タンクに戻すことによって貯留タンク内に温度成層を形成させるものであり、湯水強制循環動作の際には貯留タンクの下部側から湯水を排出させて滞留流路に流し、発電部で発生させた熱によって加熱し、加熱された湯水と滞留流路を通過した湯水の双方を同時に貯留タンクに戻し、前記滞留流路を通過した湯水の流速が前記熱回収用回路内の湯水の流速よりも低速になるように制御することを特徴とする。
【００２１】
かかる構成によれば、湯水強制循環動作の際には貯留タンクの下部側から湯水を排出させて滞留流路に流す。
即ち、長時間蓄熱運転を維持し続けた後に、湯水強制循環動作を行った場合は、上記したように貯留タンクの下部側であっても、レジオネラ菌を殺菌可能な温度に達しているため、滞留流路内のレジオネラ菌を死滅させることが可能である。
そして、例え、貯留タンクの下部側の温度が低く、レジオネラ菌を殺菌可能な温度に達していなかったとしても、発電部で発生させた熱によって加熱し、加熱された湯水と滞留流路を通過した湯水の双方を同時に貯留タンクに戻すため、貯留タンクの上部側の高温の湯水によって、滞留流路内のレジオネラ菌を貯留タンクの上部側に押し出して死滅させることが可能である。
【００２２】
本発明によると、湯水強制循環動作によって滞留流路内の湯水が貯留タンク内の湯水と置換される。
ところで、本発明で採用する様な温度成層を形成させるタイプのコージェネレーションシステムでは、貯留タンクに対し高温の湯水だけを貯留タンクの上部側から供給することが必須であり、低温の湯水を貯留タンクの上部側から供給することは許されない。
即ち、仮に貯留タンクの上部に高温の湯水が溜まっている状態のときに、貯留タンクの上部から低温の湯水を供給すると、供給された低温の湯水が下に沈み、貯留タンク内に対流を生じさせてしまう。その結果、貯留タンク内の温度成層が乱れ、貯留タンク内の湯水の温度が一様なものとなってしまう。
本発明の作用の説明に戻ると、本発明では、湯水強制循環動作によって滞留流路内の湯水が貯留タンク内の湯水と置換され、且つ滞留流路内の湯水は温度が低いから、滞留流路内の低温の湯水が、貯留タンクの上部側から供給されることとなる。
しかしながら、本発明では、湯水強制循環動作は、「発電部の運転を維持したままの状態で」湯水強制循環動作を行うから、貯留タンクの上部側から供給される湯水は、滞留流路内の湯水だけではない。
即ち、本発明では、発電部で加熱された湯水と、滞留流路内に残っていた湯水の双方が同時に貯留タンクの上部に戻される。そのため、貯留タンク内に大きな対流が生じず、温度成層が維持される。
請求項５に記載の発明は、前記燃料電池は、固体酸化物形燃料電池であることを特徴とする請求項１乃至４のいずれかに記載のコージェネレーションシステムである。
【発明の効果】
【００２３】
本発明によれば、発電部が一定時間に渡って連続運転していることを条件の一つとして、発電部の運転を維持したままの状態で前記滞留流路のいずれかに強制的に貯留タンク内の湯水を循環させる湯水強制循環動作を行う構成としている。
例えば、定期的に前記滞留流路のいずれかに強制的に貯留タンク内の加熱された湯水を循環させることで、滞留流路内のレジオネラ菌を死滅させることが可能である。
また、発電部の運転を維持したままの状態で湯水強制循環動作を行うため、貯留タンクへの蓄熱を維持できる。
また、貯留タンクの湯水を利用して、滞留流路内のレジオネラ菌を死滅させるので、給湯時にバーナを燃焼させ循環させるなどの衛生対応が不要となる。即ち、余分なガス等の消費を抑えることができる。
【図面の簡単な説明】
【００２４】
【図１】本発明の実施形態に係るコージェネレーションシステムを示す作動原理図である。
【図２】図１のコージェネレーションシステムの作動原理図であり、熱回収用回路を黒塗りで示した図である。
【図３】図１のコージェネレーションシステムの作動原理図であり、給湯経路を黒塗りで示した図である。
【図４】図１のコージェネレーションシステムの作動原理図であり、熱供給経路を黒塗りで示した図である。
【図５】図１のコージェネレーションシステムの作動原理図であり、通常の蓄熱運転モードにおける湯水の流れを黒塗りで示した図である。
【図６】図１のコージェネレーションシステムの作動原理図であり、燃料電池が低温時の蓄熱運転モードにおける湯水の流れを黒塗りで示した図である。
【図７】図１のコージェネレーションシステムの作動原理図であり、貯留タンク内の湯水を用いて給湯運転を行う場合の湯水の流れを黒塗りで示した図である。なお、蓄熱運転における湯水の流れをハッチングで表し、区別している。
【図８】図１のコージェネレーションシステムの作動原理図であり、貯留タンク内の湯水を用いて追い焚き用熱交換器に湯水を供給する際の湯水の流れを黒塗りで示した図である。なお、蓄熱運転における湯水の流れをハッチングで表し、区別している。
【図９】図１のコージェネレーションシステムの作動原理図であり、貯留タンク内の湯水を用いて熱器具用熱交換器に湯水を供給する際の湯水の流れを黒塗りで示した図である。なお、蓄熱運転における湯水の流れをハッチングで表し、区別している。
【図１０】図１のコージェネレーションシステムの作動原理図であり、殺菌運転１モードにおける湯水の流れを黒塗りで示した図である。なお、蓄熱運転における湯水の流れをハッチングで表し、区別している。
【図１１】図１のコージェネレーションシステムの作動原理図であり、殺菌運転２モードにおける湯水の流れを黒塗りで示した図である。なお、蓄熱運転における湯水の流れをハッチングで表し、区別している。
【図１２】図１のコージェネレーションシステムの作動原理図であり、殺菌運転３モードにおける湯水の流れを黒塗りで示した図である。なお、蓄熱運転における湯水の流れをハッチングで表し、区別している。
【図１３】図１のコージェネレーションシステムの作動原理図であり、殺菌運転４モードにおける湯水の流れを黒塗りで示した図である。なお、蓄熱運転における湯水の流れをハッチングで表し、区別している。
【図１４】図１のコージェネレーションシステムの湯水強制循環機能の動作を示すフローチャートである（第１実施形態）。
【図１５】図１のコージェネレーションシステムの湯水強制循環機能の動作を示すフローチャートである（第２実施形態）。
【図１６】図１のコージェネレーションシステムの湯水強制循環機能の動作を示すフローチャートである（第３実施形態）。
【図１７】図１のコージェネレーションシステムの湯水強制循環機能の動作を示すフローチャートである（第４実施形態）。
【発明を実施するための形態】
【００２５】
以下に、本発明の第１実施形態に係るコージェネレーションシステム１について説明する。
本発明のコージェネレーションシステム１は、発電ユニット２と、熱回収装置３とを組み合わせたものであり、これらを往復配管５によって接続して形成されている。
まず、コージェネレーションシステム１における主要な部品に注目して説明する。
【００２６】
発電ユニット２は、主たる構成要素である燃料電池６と、燃料電池６を冷却する冷却手段７とを備えている。
燃料電池６は、高温で作動する燃料電池を使用しており、本実施形態では、固体酸化物形燃料電池（所謂ＳＯＦＣ）が採用されている。
冷却手段７は、湯水が流れる発電側流路８と、その発電側流路８に配された発電側熱交換器１０及び発電側循環ポンプ１１を有する。
発電側循環ポンプ１１は、往復配管５を構成要素に持つ熱回収用回路１２（図２）に湯水を循環させるための装置である。
即ち、発電ユニット２は、外部に設けられた電力負荷に対して、電力を供給するための発電デバイスとしての機能と、その電力供給に伴って発生する熱によって、発電側熱交換器１０を通過する湯水を加熱する熱エネルギー発生デバイスとしての機能も備えた構成である。
【００２７】
一方、熱回収装置３は、主要な構成要素として、貯留タンク１５と、補助熱源機１６と、熱量を外部に供給可能な二つの熱供給用熱交換器１７，１８を備えている。
二つの熱供給用熱交換器は、具体的には熱器具用熱交換器１７と風呂追い焚き用熱交換器１８である。
またコージェネレーションシステム１は、発電ユニット２と熱回収装置３内の機器を結ぶ主要な流路として、熱回収用回路１２（図２）と、給湯経路２１（図３）と、熱供給経路２２（図４）を構成しており、さらにこれらの流路を相互に連通する複数の短絡路が設けられている。以下、熱回収装置３を構成する主要機器について説明する。
【００２８】
貯留タンク１５は、湯水を貯留するための密閉タンクであり、その内部において湯水の温度成層を形成することができる。そして、貯留タンク１５は、頂部に設けられた頂部接続部２５，２６と、底部に設けられた底部接続部２７，２８に対して、熱回収用回路１２（図２）、給湯経路２１（図３）及び熱供給経路２２（図４）を構成する配管を接続している。なお、頂部接続部２５，２６及び底部接続部２７，２８は、本実施形態の様にそれぞれ２口設けられていることが推奨されるが、それぞれ１口であってもよい。
【００２９】
さらに貯留タンク１５は、内部に貯留される湯水の水位上昇方向（高さ方向）に複数（本実施形態では４つ）のタンク温度センサ３０ａ〜３０ｄを配した構成とされている。タンク温度センサ３０ａ〜３０ｄは、それぞれ貯留タンク１５内の湯水の温度を検知するための温度検知手段として機能すると共に、貯留タンク１５内に所定温度あるいは所定の温度範囲の湯水の残留量を検知するための残量検知手段としての役割も果たす。
【００３０】
ここで、一般的に貯留タンク内に湯水を貯留する場合、その湯水の温度差が所定の閾値（摂氏約１０度程度）以上であると、湯水が温度ごとに層状に分かれる。そのため、熱回収用回路１２を通過する湯水が、貯留タンク１５内の湯水の温度に対して前記閾値温度以上の高温に加熱され、貯留タンク１５内の湯水を掻き乱さない程度にゆっくりと戻されると、貯留タンク１５内に貯留されている湯水が温度ごとに層状に分かれる（温度成層）。即ち、貯留タンク１５内の上部に蓄積した高温層と下部に蓄積した低温層が形成される。
従って、貯留タンク１５に設置されたタンク温度センサ３０ａ〜３０ｄの検知温度を調べることにより、貯留タンク１５内に所望の温度範囲に加熱された湯水がどれだけ貯留されているかを検知することができる。
【００３１】
本実施形態のコージェネレーションシステム１では、貯留タンク１５の底部から取り出された低温の湯水が熱回収用回路１２に排出され、発電ユニット２の発電側熱交換器１０を通過することによって熱交換・加熱され、貯留タンク１５の頂部側にゆっくりと戻される構成とされている。
【００３２】
補助熱源機１６は、従来公知の給湯器と同様である。補助熱源機１６は、ガスや灯油等の燃料を燃焼するためのバーナ３１と補助熱源側熱交換器３２とを内蔵しており、燃料の燃焼により発生した熱エネルギーを利用して湯水を加熱するものである。
補助熱源機１６は、発電ユニット２の燃料電池６よりも湯水の加熱能力が高い。補助熱源機１６は、通常、貯留タンク１５から排出される湯水の温度が低い等の特別の場合に限って燃焼動作を行い、補助的な熱源として機能する。
熱器具用熱交換器１７は、二次側に暖房循環流路３６が接続され、暖房回路を流れる熱媒体を加熱するものである。
風呂追い焚き用熱交換器１８は、二次側に追い焚き循環流路３５が接続され、風呂の浴槽内の湯水の温度を昇温するものである。
【００３３】
次に、本実施形態のコージェネレーションシステム１における主要な流路について説明する。
コージェネレーションシステム１には、前記した様に、主に熱回収用回路１２、給湯経路２１及び熱供給経路２２が備えられている。以下、各流路について説明する。
【００３４】
まず、熱回収用回路１２について説明する。
熱回収用回路１２は、図２の黒塗りに示すように、発電ユニット２内の発電側循環ポンプ１１及び発電側熱交換器１０と、熱回収装置３内の貯留タンク１５を含んだ環状に結ばれた流路であり、発電側熱交換器１０と貯留タンク１５との間で湯水を循環可能な流路である。具体的には、熱回収用回路１２は、貯留タンク１５から発電側熱交換器１０に向かって湯水が流れる熱回収往き流路３７と、発電側熱交換器１０から貯留タンク１５に向かって湯水が流れる熱回収戻り流路３８と、貯留タンク１５を迂回する熱回収バイパス流路４０を有する。
即ち、熱回収往き流路３７の上流側が貯留タンク１５の底部接続部２７に接続され、熱回収戻り流路３８の下流側が貯留タンク１５の頂部接続部２５に接続されている。さらに両者の中間部分を短絡するように熱回収バイパス流路４０が接続されて熱回収用回路１２が形成されている。
【００３５】
また、熱回収往き流路３７には、中途に流路の切り替えを可能とした流路切り替え手段たる三方弁４１と、湯水の温度を検知するラジエター用温度センサ４７、放熱手段たるラジエター４２と、湯水の温度を検知する往き側温度センサ４３が設けられている。
三方弁４１は、３つのポート４１ａ〜４１ｃを有し、２経路に流路を切り換えることができるものである。即ち、この三方弁４１は、ポート４１ａとポート４１ｃが連通すると他のポート４１ｂが閉塞し、熱回収往き流路３７を流通可能状態にすることができる。また、三方弁４１は、ポート４１ｂとポート４１ｃが連通すると他のポート４１ａが閉塞し、熱回収バイパス流路４０を流通可能状態にすることができる。
ラジエター４２は、ファン４５を備えており、空冷効果で通過する湯水の温度を降下させるものが採用されている。ラジエター４２は、ラジエター用温度センサ４７の検知温度からファン４５の動力が制御される。
往き側温度センサ４３は、発電ユニット２に導入される直前の温度を検知するものである。
【００３６】
熱回収戻り流路３８には、中途に戻り側温度センサ４６が設けられている。戻り側温度センサ４６は、熱回収戻り流路３８に接続された熱回収バイパス流路４０の接続部よりも上流側（発電側熱交換器１０側）に配されており、発電ユニット２で加熱された直後の湯水の温度を検知することができる。
【００３７】
続いて、給湯経路２１について説明する。
給湯経路２１は、外部に所望の温度の湯水を出湯するための流路である。即ち、給湯経路２１は、図３の黒塗りに示すように、給水源を基準に、貯留タンク１５よりも上流側に位置する給水流路５０と、貯留タンク１５よりも下流側に位置する出湯流路５１で構成されている。
給水流路５０は、貯留タンク１５の底部接続部２８に接続されている。これにより、コージェネレーションシステム１は、外部から供給される低温の湯水を貯留タンク１５の底部側から導入可能な構成とされている。
給水流路５０の中途には、給水源側から順に、外部から供給された湯水の温度を検知する給水温度センサ５２と、逆止弁５３と、流路切り替え手段たる三方弁５５が設けられている。
三方弁５５は、前記した熱回収用回路１２（図２参照）における三方弁４１の構造とほぼ同様であり、３つのポート５５ａ〜５５ｃを有する。即ち、この三方弁５５は、ポート５５ａとポート５５ｂが連通すると他のポート５５ｃが閉塞し、給水流路５０の上流側（給水源側）に位置する上流側給水流路５０ａと、給水流路５０の下流側（貯留タンク１５側）に位置する下流側給水流路５０ｂとの流通を可能とする。また、ポート５５ａとポート５５ｃが連通すると他のポート５５ｂが閉塞し、上流側給水流路５０ａとタンク迂回流路５６の流通を可能とする。
【００３８】
出湯流路５１は、貯留タンク１５の頂部接続部２６に接続されて、給湯栓あるいは追い焚き循環流路３５に導く流路である。即ち、出湯流路５１の中途には、追い焚き循環流路３５に連通した風呂側分岐路５７が接続されている。
また、出湯流路５１の中途には、上流側から順に、高温側温度センサ５８と、３つのポートを備えた湯水混合弁６０と、流量センサ６１と、比例弁６２と、出湯温度センサ６３が設けられている。なお、湯水混合弁６０には、給水流路５０から分岐した給水分岐路６５が接続されている。給水分岐路６５は、出湯流路５１を流れる湯水に外部から供給される湯水を合流させるための流路である。
給水分岐路６５の中流には、出湯流路５１側から給水源側に向けて湯水が逆流するのを防止するための逆止弁６６が設けられている。その下流で、湯水混合弁６０に接続している。
即ち、出湯流路５１を通過する湯水は、湯水混合弁６０で高温の湯水と低温の湯水が混ざって所望の温度に調整され、比例弁６２で所望の流量に制御される。
【００３９】
続いて、熱供給経路２２について説明する。
熱供給経路２２は、図４の黒塗りに示すように、熱器具用熱交換器１７を設けた熱器具用流路６７と、風呂追い焚き用熱交換器１８を設けた風呂追い焚き用流路６８とを含むように形成された循環流路である。
具体的には、熱供給経路２２は、前記した出湯流路５１（図３参照）から分岐した流路で、出湯分岐流路７０と、熱交往き流路７１と、熱交往き流路７１から分岐した熱器具用流路６７及び風呂追い焚き用流路６８と、熱交戻り流路７２とによって形成された流路である。より分かり易く説明するため、熱供給経路２２を流れる湯水に注目すれば、貯留タンク１５の頂部接続部２６から排出された湯水は、出湯流路５１から分岐部５４を介して、出湯分岐流路７０に導入され、合流部９２を通過して熱交往き流路７１に導入される。そして、熱交往き流路７１から分岐部８２で分岐して、熱器具用流路６７及び風呂追い焚き用流路６８を通過する。その後、合流部８３で合流し、熱交戻り流路７２を介して、再び貯留タンク１５に導入される。
【００４０】
出湯分岐流路７０には、中途に上流側（貯留タンク１５側）から順番に、流路切り替え手段たる三方弁７３と、循環ポンプ７６と、補助熱源入水温度センサ７７と、補助熱源流量センサ７８と、補助熱源用三方弁８０と、補助熱源出湯温度センサ８１が設けられている。
循環ポンプ７６は、熱供給経路２２に湯水を循環させる際に起動されるものであり、補助熱源入水温度センサ７７及び補助熱源流量センサ７８は、補助熱源機１６に入水する湯水の温度及び流量を検知するものであり、補助熱源出湯温度センサ８１は、補助熱源機１６から出湯した湯水の温度を検知するものである。即ち、これらの各センサで検知された情報に基づいて、補助熱源機１６の燃焼量が決定される。
三方弁７３は、３つのポート７３ａ〜７３ｃを有し、貯留タンク１５の湯水を出湯分岐流路７０側に流す流路を開放したり、タンク迂回流路５６の湯水を出湯分岐流路７０内に流す流路を開放したりすることができる。同様に、補助熱源用三方弁８０も、３つのポート８０ａ〜８０ｃを有し、出湯分岐流路７０内の湯水を補助熱源機１６側に流す流路を開放したり、補助熱源機１６を迂回する流路を開放したりすることができる。
【００４１】
熱交往き流路７１は、出湯分岐流路７０の下流側端部に接続された合流部９２から熱器具用流路６７及び風呂追い焚き用流路６８への分岐部８２までの流路である。
熱器具用流路６７は、分岐部８２から熱器具用熱交換器１７を通って、熱交戻り流路７２への合流部８３までの流路である。熱器具用流路６７は、熱器具用熱交換器１７の下流側に電磁弁８５が設けられている。
風呂追い焚き用流路６８は、分岐部８２から風呂追い焚き用熱交換器１８を通って、熱交戻り流路７２への合流部８３までの流路である。風呂追い焚き用流路６８は、風呂追い焚き用熱交換器１８の下流側に電磁弁８６が設けられている。
熱交戻り流路７２は、合流部８３から貯留タンク１５までの流路である。
熱交戻り流路７２は、中途に温度センサ９３と、流量センサ９５と、前記した三方弁５５が設けられている。
出湯分岐流路７０の三方弁７３，８０、熱器具用流路６７の電磁弁８５、風呂追い焚き用流路６８の電磁弁８６、並びに熱交戻り流路７２における三方弁５５のそれぞれの開閉状態が制御されると共に、循環ポンプ７６の動作が制御されることで、熱供給経路２２内における水流が制御される。
【００４２】
また、本実施形態のコージェネレーションシステム１は、上記した流路の他、図１のように貯留タンク１５を迂回するタンク迂回流路５６や、熱供給経路２２から分岐した分岐路８７を有する。
タンク迂回流路５６は、給水流路５０から分岐した流路で、三方弁５５のポート５５ｃを通過した湯水が、出湯分岐流路７０に設けられた三方弁７３のポート７３ｃに通じる流路である。即ち、タンク迂回流路５６を通過した湯水は、貯留タンク１５に導入されることなく出湯分岐流路７０に流入することができる。
タンク迂回流路５６の中途には、温度センサ１０１が設けられている。
分岐路８７は、補助熱源出湯温度センサ８１よりも下流側に接続されており、具体的には出湯分岐流路７０と熱交往き流路７１の接続部分である合流部９２に接続されている。また、分岐路８７の中途には、合流部９２側から順に、温度センサ１０２と比例弁９１が設けられている。
【００４３】
また、コージェネレーションシステム１は、図示しない制御手段によって動作が制御されている。この制御手段に具備された部品は、従来公知のコージェネレーションシステムが備えているものと同様であり、例えばＣＰＵや所定の制御プログラムが内蔵されたメモリなどを備えた構成とすることができる。制御手段は、各部に設けられたセンサ類の検知信号や、メモリに記憶されているデータ等に基づいて、コージェネレーションシステム１の各部に設けられた弁や発電ユニット２、補助熱源機１６等の動作を制御し、コージェネレーションシステム１の総合エネルギー効率の最適化を図る構成とされている。
【００４４】
続いて、本実施形態のコージェネレーションシステム１の通常の運転モードにおける動作について説明する。なお、本実施形態のコージェネレーションシステム１の通常の運転動作は、公知技術とほぼ同様であるため、簡単に説明する。
本実施形態のコージェネレーションシステム１は、蓄熱運転を単独で行う蓄熱運転モードと、給湯運転モードと追い焚き運転モードと暖房運転モードを含む運転モード群から選択される熱消費のための動作運転モードと、を選択して運転を行うことができる。
以下に各運転モードについて説明する。
【００４５】
（蓄熱運転モード）
蓄熱運転モードは、発電側循環ポンプ１１を作動させることにより、熱回収用回路１２内に水流を発生させ、発電ユニット２の動作に伴って発生する排熱を回収して湯水を加熱し、この湯水を貯留タンク１５に貯留する蓄熱運転を行う運転モードである。即ち、動作運転の要求がない場合に、蓄熱運転を単独で行う運転モードである。言い換えると、待機モードと言える。
即ち、コージェネレーションシステム１が蓄熱運転モードで動作する場合、図示しない制御手段から発信される制御信号に基づいて、三方弁４１が熱回収バイパス流路４０に対して閉じ（ポート４１ｂを閉じる）、熱回収往き流路３７及び熱回収戻り流路３８に対して開いた状態に制御される。そのため、熱回収用回路１２内においては、図５の黒塗りに示すように、貯留タンク１５の底部接続部２７を始点として、発電ユニット２を介して貯留タンク１５の頂部接続部２５に向かうように湯水の循環流が発生する。一方、発電ユニット２では、燃料電池６が発電することで発熱するため、発電側熱交換器１０が昇温する。即ち、発電ユニット２に導入された湯水は、燃料電池６の排熱によって加熱され、その加熱された湯水は熱回収戻り流路３８を通過して、貯留タンク１５の上部側（頂部接続部２５）に戻される。そして、このような動作が連続的に行われることで、貯留タンク１５に加熱された湯水が徐々に貯留される。
【００４６】
なお、本実施形態の蓄熱運転モードにおいては、熱回収戻り流路３８を流れる湯水の温度が所定温度以上であることを条件として実施される蓄熱運転を行う運転モードであるが、熱回収戻り流路３８を流れる湯水の温度が低い場合には、貯留タンク１５内の温度成層が乱れることを防止するため、三方弁４１の開放するポートを切り換えて、熱回収戻り流路３８から熱回収バイパス流路４０側に湯水が流れるように制御する。即ち、熱回収戻り流路３８を流れる湯水の温度が低い場合には、図６の黒塗りに示すように、熱回収往き流路３７における三方弁４１よりも上流側の水流を停止し、熱回収用回路１２の流路であって貯留タンク１５を迂回した流路に湯水を流して、さらに発電ユニット２で湯水を加熱する。そして、このような動作は、戻り側温度センサ４６が所定の温度以上を検知するまで継続される。
【００４７】
（給湯運転モード）
給湯運転モードは、図７のハッチングのように、蓄熱運転が常時行われている。
そして、給湯運転モードは、蓄熱運転に加えて、上記した蓄熱運転によって貯留タンク１５内に貯留された高温の湯水を利用して給湯を行う給湯運転を行う場合と、蓄熱運転に加えて、補助熱源機１６を用いた給湯運転を行う場合があるが、コージェネレーションシステムではエネルギーの効率化の観点から、前者を通常運転としているため、前者の動作に注目して説明する。
即ち、ＳＯＦＣを用いたコージェネレーションシステム１が給湯運転モードで動作する場合、蓄熱運転と給湯運転の両方の運転が行われる。
そして、コージェネレーションシステム１が給湯運転モードで動作する場合、給湯栓等が操作されると、制御手段が三方弁５５のポート５５ａ、５５ｂを開き、外部の給水源から供給された低温の湯水の一部が給水流路５０に供給される。
【００４８】
また、外部の給水源から供給された低温の湯水の一部は、給水流路５０を介して、貯留タンク１５の底部接続部２８から流入する。これにより、貯留タンク１５の頂部に滞留する高温の湯水が、出湯流路５１に排出される。
一方、外部の給水源から供給された低温の湯水の残部は、給水分岐路６５に流れ込み、湯水混合弁６０を介して出湯流路５１に導入される。
即ち、給湯運転モードにおいては、図７の黒塗りに示すように、蓄熱運転に加えて、貯留タンク１５に貯留された高温の湯水と、給水分岐路６５を通過した低温の湯水とが合流するように水流を形成し、所定の温度に調整されて給湯栓（浴槽への落とし込みも含む）から給湯される。
【００４９】
（追い焚き運転モード）
追い焚き運転モードは、図８のハッチングのように、蓄熱運転が常時行われている。
追い焚き運転モードは、蓄熱運転に加えて、上記した蓄熱運転によって貯留タンク１５内に貯留された高温の湯水を追い焚き用熱交換器１８に供給する追い焚き運転と、補助熱源機１６を用いて湯水を加熱しその湯水を追い焚き用熱交換器１８に供給する追い焚き運転があるが、給湯運転モードと同様の理由から、前者の動作に注目して説明する。
即ち、ＳＯＦＣを用いたコージェネレーションシステム１が追い焚き運転モードで動作する場合、蓄熱運転に加えて、前記した風呂追い焚き用流路６８に湯水が流れるように、制御手段が風呂追い焚き用流路６８の電磁弁８６と、三方弁５５、７３及び補助熱源用三方弁８０の開度を調整し、その状態で循環ポンプ７６を作動する。これにより、図８の黒塗りに示すように、貯留タンク１５と追い焚き用熱交換器１８との間に水流が生じる。
【００５０】
また、追い焚き循環流路３５に設けられた風呂ポンプ８８を起動し、追い焚き循環流路３５内に湯水の循環流を発生させる。これにより、追い焚き用熱交換器１８において、追い焚き循環流路３５を循環する湯水と、熱供給経路２２（風呂追い焚き用流路６８）を循環する湯水とが熱交換する。即ち、熱供給経路２２内の湯水が持つ熱量が放出され、その熱量を追い焚き循環流路３５内の湯水が回収するため、結果的に浴槽内の湯水が所望の温度まで加熱される。
【００５１】
（暖房運転モード）
暖房運転モードは、図９のハッチングのように、蓄熱運転が常時行われている。
暖房運転モードは、蓄熱運転に加えて、上記した蓄熱運転によって貯留タンク１５内に貯留された高温の湯水を熱器具用熱交換器１７に供給する暖房運転と、補助熱源機１６を用いて湯水を加熱しその湯水を熱器具用熱交換器１７に供給する暖房運転があるが、給湯運転モードと同様の理由から、前者の動作に注目して説明する。
即ち、ＳＯＦＣを用いたコージェネレーションシステム１が暖房運転モードで動作する場合、蓄熱運転に加えて、前記した熱器具用流路６７に湯水が流れるように、制御手段が熱器具用流路６７の電磁弁８５と、三方弁５５、７３及び補助熱源用三方弁８０の開度を調整し、その状態で循環ポンプ７６を作動する。これにより、図９の黒塗りに示すように、貯留タンク１５と熱器具用熱交換器１７との間に水流が生じる。
【００５２】
また、暖房循環流路３６に設けられた暖房ポンプ９０を起動し、暖房循環流路３６内に湯水の循環流を発生させる。これにより、熱器具用熱交換器１７において、暖房循環流路３６を循環する湯水と、熱供給経路２２（熱器具用流路６７）を循環する湯水とが熱交換する。即ち、熱供給経路２２内の湯水が持つ熱量が放出され、その熱量を暖房循環流路３６内の湯水が回収するため、結果的に暖房内の湯水が所望の温度まで加熱される。
以上が通常の熱消費のための運転モードの動作の説明である。
【００５３】
ところで、コージェネレーションシステム１は、蓄熱運転を単独で行う蓄熱運転モードと、熱消費のための動作運転モード（給湯運転や追い焚き運転、暖房運転）のいずれの運転モード時においても、湯水が循環せず、湯水が滞留した流路（例えば、タンク迂回流路５６や分岐路８７）が存在する。この滞留状態を継続すると、温度が下がり、それらの流路にレジオネラ菌が発生するおそれがあった。なお、本実施形態における滞留流路はタンク迂回流路５６と分岐路８７を指す。
また、給湯運転や追い焚き運転、暖房運転等の熱消費のための動作運転モードを行わない場合、燃料電池６を使用しているため、燃料電池６の発電は継続し続けなければならず、蓄熱運転を維持し続ける。即ち、蓄熱運転に使用する熱回収用回路１２以外の流路については、滞留状態を維持している。即ち、この滞留状態を長時間継続すると、温度が下がり、それらの流路にレジオネラ菌が発生するおそれがあった。
【００５４】
そこで、本実施形態のコージェネレーションシステム１は、貯留タンク１５内の温度成層のバランスを利用して滞留流路のいずれかに強制的に貯留タンク１５内の湯水を循環させることによって、レジオネラ菌を殺菌する殺菌機能を有する。
【００５５】
以下、本発明の特徴たる殺菌機能について説明する。
本実施形態のコージェネレーションシステム１は、上記した蓄熱運転を単独で行う蓄熱運転モードと、殺菌運転１モード、殺菌運転２モード、殺菌運転３モード、殺菌運転４モードの４つの殺菌運転モードを切り替えることによって殺菌運転を行うことができる。
以下に各殺菌運転モードについて説明する。
【００５６】
（殺菌運転１モード）
殺菌運転１モードは、図１０のハッチングのように、蓄熱運転が常時行われている。
殺菌運転１モードは、蓄熱運転に加えて、循環ポンプ７６を作動させることにより、滞留流路たるタンク迂回流路５６、分岐路８７内に水流を発生させ、貯留タンク１５の下部側（底部接続部２８）から貯留タンク１５の内部の湯水を抜き出し、タンク迂回流路５６、分岐路８７に循環させる運転モードである。
即ち、コージェネレーションシステム１が殺菌運転１モードで動作する場合、図示しない制御手段から発信される制御信号に基づいて、三方弁５５が給水流路５０上流側に対して閉じ（ポート５５ａを閉じる）、下流給水流路５０ｂ及びタンク迂回流路５６に対して開いた状態に制御される。また、同様に、三方弁７３が上流出湯分岐流路７０ａに対して閉じ（ポート７３ａを閉じる）、タンク迂回流路５６及び下流出湯分岐流路７０ｂに対して開いた状態に制御される。同様に、補助熱源用三方弁８０は、下流出湯分岐流路７０ｂが開いた状態に制御される。また、分岐路８７の比例弁９１は開いた状態に制御される。この時、電磁弁８５，８６は閉じた状態となっている。
そのため、図１０の黒塗りに示すように、貯留タンク１５の底部接続部２８を始点として、タンク迂回流路５６を通過し、下流出湯分岐流路７０ｂ、合流部９２、分岐路８７を介して、貯留タンク１５の頂部接続部２６に流入する。
ここで、循環する湯水の流量は、補助熱源流量センサ７８によって検知され、所定の流速になるように制御されている。即ち、循環する湯水の流速は、熱回収用回路内１２の湯水の流速よりも低速になるように制御している。
具体的には、流速は１０〜３００ｍｌ／ｍｉｎとなるように制御されている。流速は５０〜１００ｍｌ／ｍｉｎとなるように制御することが好ましい。
流速を低速にしているため、循環した湯水が貯留タンク１５の頂部接続部２６に流入しても貯留タンク１５の上部の温度は低下しない。即ち、再出湯時に補助熱源機１６の燃焼が必要ない。また、高温の湯水が、滞留流路（タンク迂回流路５６や分岐路８７）を通過するため、レジオネラ菌を死滅させることが可能である。
【００５７】
（殺菌運転２モード）
殺菌運転２モードは、図１１のハッチングのように、蓄熱運転が常時行われている。
殺菌運転２モードは、循環ポンプ７６を作動させることにより、殺菌運転１モードの湯水の流路に加えて、長時間蓄熱運転モードを継続した際に、滞留流路となる熱交往き流路７１、熱器具用流路６７、熱交戻り流路７２内に水流を発生させ、貯留タンク１５の下部側（底部接続部２８）から貯留タンク１５の内部の湯水を抜き出し、熱交往き流路７１、熱器具用流路６７、熱交戻り流路７２に循環させる運転モードである。
即ち、コージェネレーションシステム１が殺菌運転２モードで動作する場合、図示しない制御手段から発信される制御信号に基づいて、電磁弁８５は開いた状態となる。
そのため、図１１の黒塗りに示すように、貯留タンク１５の底部接続部２８を始点として、タンク迂回流路５６を通過し、下流出湯分岐流路７０ｂ、合流部９２、分岐路８７を介して、貯留タンク１５の頂部接続部２６に流入する。さらに湯水は合流部９２から熱交往き流路７１側にも流れ、当該湯水は、熱器具用流路６７、熱交戻り流路７２を介して、流量センサ９５の下流にある合流部９６でタンク迂回流路５６に合流する。
ここで、循環する湯水の流量は、殺菌運転１モードと同様、補助熱源流量センサ７８によって検知され、所定の流速になるように制御されている。即ち、循環する湯水の流速は、熱回収用回路内１２の湯水の流速よりも低速になるように制御している。
流速を低速にしているため、循環した湯水が貯留タンク１５の頂部接続部２６に流入しても貯留タンク１５の上部の温度は低下しない。即ち、再出湯時に補助熱源機１６の燃焼が必要ない。また、高温の湯水が、滞留流路（熱交往き流路７１、熱器具用流路６７、熱交戻り流路７２）を通過するため、レジオネラ菌を死滅させることが可能である。
【００５８】
（殺菌運転３モード）
殺菌運転３モードは、図１２のハッチングのように、蓄熱運転が常時行われている。
殺菌運転３モードは、循環ポンプ７６を作動させることにより、殺菌運転１モードの湯水の流路に加えて、長時間蓄熱運転モードを継続した際に、滞留流路となる熱交往き流路７１、風呂追い焚き用流路６８、熱交戻り流路７２内に水流を発生させ、貯留タンク１５の下部側（底部接続部２８）から貯留タンク１５の内部の湯水を抜き出し、熱交往き流路７１、風呂追い焚き用流路６８、熱交戻り流路７２に循環させる運転モードである。
即ち、コージェネレーションシステム１が殺菌運転３モードで動作する場合、図示しない制御手段から発信される制御信号に基づいて、電磁弁８６は開いた状態となる。
そのため、図１２の黒塗りに示すように、貯留タンク１５の底部接続部２８を始点として、タンク迂回流路５６を通過し、下流出湯分岐流路７０ｂ、合流部９２、分岐路８７を介して、貯留タンク１５の頂部接続部２６に流入する。さらに湯水は合流部９２から熱交往き流路７１側にも流れ、当該湯水は、風呂追い焚き用流路６８、熱交戻り流路７２を介して、流量センサ９５の下流にある合流部９６でタンク迂回流路５６に合流する。
即ち、殺菌運転２モードが熱器具用流路６７を循環するのに対して、殺菌運転３モードは風呂追い焚き用流路６８を循環する点で異なる。
ここで、循環する湯水の流量は、殺菌運転１モードと同様、補助熱源流量センサ７８によって検知され、所定の流速になるように制御されている。即ち、循環する湯水の流速は、熱回収用回路内１２の湯水の流速よりも低速になるように制御している。
流速を低速にしているため、循環した湯水が貯留タンク１５の頂部接続部２６に流入しても貯留タンク１５の上部の温度は低下しない。即ち、再出湯時に補助熱源機１６の燃焼が必要ない。また、高温の湯水が、滞留流路（熱交往き流路７１、風呂追い焚き用流路６８、熱交戻り流路７２）を通過するため、レジオネラ菌を死滅させることが可能である。
【００５９】
（殺菌運転４モード）
殺菌運転４モードは、図１３のハッチングのように、蓄熱運転が常時行われている。
殺菌運転４モードは、循環ポンプ７６を作動させることにより、殺菌運転１モードの湯水の流路に加えて、長時間蓄熱運転モードを継続した際に、滞留流路となる上流出湯分岐流路７０ａに水流を発生させる。即ち、分岐部５４から上流出湯分岐流路７０ａに流しこむ運転モードである。
即ち、コージェネレーションシステム１が殺菌運転４モードで動作する場合、図示しない制御手段から発信される制御信号に基づいて、三方弁７３のポート７３ａ〜７３ｃのすべてを開状態にする。この時、電磁弁８５，８６は閉じた状態となっている。
そのため、図１３の黒塗りに示すように、貯留タンク１５の底部接続部２８を始点として、タンク迂回流路５６を通過し、下流出湯分岐流路７０ｂ、合流部９２、分岐路８７を介して、貯留タンク１５の頂部接続部２６に流入する。さらに湯水は分岐路５４から上流出湯分岐流路７０ａにも流れ、当該湯水は、三方弁７３で下流出湯分岐流路７０ｂに合流する。
ここで、循環する湯水の流量は、殺菌運転１モードと同様、補助熱源流量センサ７８によって検知され、所定の流速になるように制御されている。即ち、循環する湯水の流速は、熱回収用回路内１２の湯水の流速よりも低速になるように制御している。
流速を低速にしているため、循環した湯水が貯留タンク１５の頂部接続部２６に流入しても貯留タンク１５の上部の温度は低下しない。即ち、再出湯時に補助熱源機１６の燃焼が必要ない。また、高温の湯水が、滞留流路（上流出湯分岐流路７０ａ）を通過するため、レジオネラ菌を死滅させることが可能である。
【００６０】
以下、本発明の特徴たる湯水強制循環機能について説明する。
本実施形態のコージェネレーションシステム１は、上記した４つの殺菌運転モード群から殺菌運転モードを選択して運転を行うことができる。本実施形態のコージェネレーションシステム１は、図１４のフローチャートに示すような湯水強制循環機能の動作が実行される。
【００６１】
まず、蓄熱運転を開始する（ステップ１）。この時、制御手段によって、蓄熱運転の開始時間が記憶され、経過時間がカウントされる（蓄熱積算タイマーＯＮ）（ステップ２）。そして、熱消費のための動作運転命令が行われているかどうかを監視する（ステップ３）。即ち、制御手段によって、給湯運転モードと追い焚き運転モードと暖房運転モードを含む運転モード群から熱消費のための動作運転モードを行う命令がなされているかどうかが確認される。
この時、熱消費のための動作運転命令がなされていない場合には、待機運転となり、蓄熱運転が単独で行われる蓄熱運転モードとなる。
そして、熱消費のための動作運転命令がなされているか監視しつつ、熱消費のための動作運転命令がないまま、所定時間が経過すると（ステップ４）、蓄熱積算のカウントをリセットし（蓄熱積算タイマーリセット）（ステップ５）、殺菌運転１モード、殺菌運転２モード、殺菌運転３モード、殺菌運転４モードの４つの殺菌運転の内、いずれかの殺菌運転モードが選択され、選択された殺菌運転モードが開始される（ステップ６）。この時、制御手段によって、殺菌運転モードの種類と殺菌運転モードの開始時間が記憶され、経過時間がカウントされる（殺菌積算タイマーＯＮ）（ステップ７）。
【００６２】
なお、ステップ４で設定される経過時間は、特に限定されないが、本実施形態では２０時間〜４０時間程度とされている。
また、必要な経過時間は、任意に設定されるが、経過時間を決定する上での指針は、次の２点である。
（１）レジオネラ菌の増殖が起きない期間であること
本発明は、レジオネラ菌の増殖を抑えることが目的であるから、レジオネラ菌の増殖が起きない範囲の時間間隔で、殺菌運転を行う必要がある。
本項目は、経過時間の上限を規定するものであり、概ね５０時間以内である。
（２）貯留タンク１５が満蓄状態となり、貯留タンク１５の下部に高温の湯水が存在するのに十分な時間であること。
即ち、本実施形態では、殺菌運転モードの際に、湯水を貯留タンク１５の下部から取り出す。このときに貯留タンク１５の下部に高温の湯水が存在していなければならない。
本項目は、経過時間の下限を規定するものであり、概ね１０時間以上である。
なお、満蓄条件は貯留タンク１５の下部に設けた温度センサで検知してもよい。例えば、貯留タンク１５のタンク温度センサ３０ｄの温度が、摂氏６０度以上になることを条件に満蓄条件とみなしてもよい。
【００６３】
そして、熱消費のための動作運転命令がなされているか監視しつつ（ステップ８）、熱消費のための動作運転命令がないまま、所定時間が経過すると（ステップ９）、殺菌積算タイマーをリセットし（ステップ１０）、殺菌運転モードを終了する（ステップ１１）。そして、制御手段によって、殺菌運転モードの終了時間が記憶され、経過時間がカウントされる（蓄熱積算タイマーＯＮ）（ステップ２）。その後、蓄熱運転を単独で行う蓄熱運転モードが開始される。熱消費のための動作運転命令がなされない場合、ステップ２からステップ１１を繰り返す。以下、このステップ２からステップ１１を１サイクルとする。
なお、ステップ９で設定される経過時間は、特に限定されないが、本実施形態では５分〜２０分程度とされている。
一方、ステップ３、ステップ８において、熱消費のための動作運転命令がなされていた場合には、ステップ１２に移行して、蓄熱積算タイマー及び殺菌積算タイマーをリセットする。そして、熱消費のための動作運転モードとなり、給湯運転モードと追い焚き運転モードと暖房運転モード等の所望運転モードが実行され、終了する（ステップ１３）。その後、ステップ２に戻る。
ここで、ステップ６について詳説すると、ステップ６では、殺菌運転１モード、殺菌運転２モード、殺菌運転３モード、殺菌運転４モードの４つの殺菌運転の内、いずれかの殺菌運転モードが選択され開始されるが、この選択される殺菌運転モードは、１サイクル毎に異なる。即ち、１サイクル目に殺菌運転１モード、２サイクル目に殺菌運転２モード、３サイクル目に殺菌運転３モード、４サイクル目に殺菌運転４モード、５サイクル目に殺菌運転１モード・・・のように１サイクル毎に異なる殺菌運転モードを行う。この殺菌運転モードの順番は特に限定されない。即ち、１サイクル目に殺菌運転２モード、２サイクル目に殺菌運転１モード、３サイクル目に殺菌運転２モード、４サイクル目に殺菌運転４モード、５サイクル目に殺菌運転３モード・・・のようにランダムに行ってもよいが、殺菌運転１モード、殺菌運転２モード、殺菌運転３モード、殺菌運転４モードがローテーションして行われることが好ましい。
また、湯水強制循環機能の動作を行う直前の動作運転モードによって、殺菌運転モードを選択することが好ましい。
具体的には、湯水強制循環機能の動作を行う直前の動作運転モードが、追い焚き運転モードであれば、１サイクル目は、殺菌運転１モード又は殺菌運転２モードを行うことが好ましい。同様に、湯水強制循環機能の動作を行う直前の動作運転モードが、暖房運転モードであれば、１サイクル目は、殺菌運転１モード又は殺菌運転３モードを行うことが好ましい。
【００６４】
続いて、以下、本発明の第２実施形態について説明する。なお、第１実施形態と同様のものは同じ符番を付して説明を省略する。
【００６５】
第２実施形態のコージェネレーションシステムは、湯水強制循環機能の動作が異なる。
第２実施形態のコージェネレーションシステムは、図１５のフローチャートに示すような湯水強制循環機能の動作が実行される。
【００６６】
まず、蓄熱運転を開始する（ステップ２１）。そして、熱消費のための動作運転命令が行われているかどうか確認される（ステップ２２）。即ち、制御手段によって、給湯運転モードと追い焚き運転モードと暖房運転モードを含む運転モード群から動作運転モードを行う命令がなされているかどうかを確認される。
この時、熱消費のための動作運転命令がなされていない場合には、待機状態となり、蓄熱運転が単独で行われる蓄熱運転モードとなる。
そして、熱消費のための動作運転命令がなされているか監視しながら、タンク迂回流路５６に設けられた温度センサ１０１と、分岐路８７に設けられた温度センサ１０２を監視し、滞留流路たるタンク迂回流路５６と、分岐路８７のいずれかの温度が所定の温度以下となっているかどうか確認する（ステップ２３）。
熱消費のための動作運転命令がないまま、滞留流路たるタンク迂回流路５６と、分岐路８７のいずれかの温度が所定の温度以下になったことを検知すると、制御手段によって、この検知時間が記憶され、経過時間がカウントされる（蓄熱積算タイマーＯＮ）（ステップ２４）。
なお、ステップ２３で設定される基準温度は、至適温度である摂氏３６度以上であれば特に限定されないが、本実施形態では摂氏４５度から摂氏５５度程度とされている。
そして、所定時間が経過すると（ステップ２５）、蓄熱積算タイマーのカウントをリセットし（ステップ２６）、殺菌運転１モード、殺菌運転２モード、殺菌運転３モード、殺菌運転４モードの４つの殺菌運転の内、いずれかの殺菌運転モードが選択され、選択された殺菌運転モードが開始される（ステップ２７）。この時、制御手段によって、殺菌運転モードの種類と殺菌運転モードの開始時間が記憶され、経過時間がカウントされる（殺菌積算タイマーＯＮ）（ステップ２８）。
そして、熱消費のための動作運転命令がなされているか監視し（ステップ２９）、熱消費のための動作運転命令がないまま、所定時間が経過すると（ステップ３０）、殺菌積算タイマーのカウントをリセットし（ステップ３１）、殺菌運転モードを終了する（ステップ３２）。そして、熱消費のための動作運転命令が行われているかどうか確認される（ステップ２２）。この時、熱消費のための動作運転命令が行われていない場合には、待機運転となり、蓄熱運転が単独で行われる蓄熱運転モードとなる。そして、熱消費のための動作運転命令がなされない場合、ステップ２２からステップ３２を繰り返す。
一方、ステップ２２、ステップ２９において、熱消費のための動作運転命令がなされていた場合には、ステップ３３に移行して、蓄熱積算タイマー及び殺菌積算タイマーをリセットする。そして、熱消費のための動作運転モードとなり、給湯運転モードと追い焚き運転モードと暖房運転モード等の所望運転モードが実行され、終了する（ステップ３４）。その後、ステップ２２に戻る。
【００６７】
上記した実施形態では、殺菌運転モードにおいて、貯留タンク１５から取り出した湯水が滞留流路内に行き渡っているかどうかは、時間の経過によって判断しているが、直接検知してもよい。即ち、殺菌運転モードの際の循環ポンプ７６の使用によって生じる流水の乱れによって検知してもよい。
具体的には、以下に第３実施形態として説明する。なお、第１，２実施形態と同様のものは同じ符番を付して説明を省略する。
【００６８】
第３実施形態のコージェネレーションシステムは、湯水強制循環機能の動作が異なる。
第３実施形態のコージェネレーションシステムは、図１６のフローチャートに示すような湯水強制循環機能の動作が実行される。
【００６９】
まず、蓄熱運転を開始する（ステップ４１）。熱消費のための動作運転命令が行われているかどうか確認される（ステップ４２）。即ち、制御手段によって、給湯運転モードと追い焚き運転モードと暖房運転モードを含む運転モード群から動作運転モードを行う命令がなされているかどうかを確認される。
この時、熱消費のための動作運転命令がなされていない場合には、待機状態となり、蓄熱運転が単独で行われる蓄熱運転モードとなる。
そして、熱消費のための動作運転命令がなされているか確認しながら、タンク迂回流路５６に設けられた温度センサ１０１と、分岐路８７に設けられた温度センサ１０２を監視し、滞留流路たるタンク迂回流路５６と、分岐路８７のいずれかの温度が所定の温度以下となっているかどうか確認する（ステップ４３）。
熱消費のための動作運転命令がないまま、滞留流路たるタンク迂回流路５６と、分岐路８７のいずれかの温度が所定の温度以下になったことを検知すると、制御手段によって、この検知時間が記憶され、経過時間がカウントされる（蓄熱積算タイマーＯＮ）（ステップ４４）。
【００７０】
そして、熱消費のための動作運転命令がないまま、所定時間が経過すると（ステップ４５）、蓄熱積算タイマーのカウントをリセットし（ステップ４６）、殺菌運転１モード、殺菌運転２モード、殺菌運転３モード、殺菌運転４モードの４つの殺菌運転の内、いずれかの殺菌運転モードが選択され開始される（ステップ４７）。
熱消費のための動作運転命令がないまま（ステップ４８）、補助熱源流量センサ７８によって、下流出湯分岐流路７０ｂの流量が安定したことを検知すると（ステップ４９）、制御手段によって、この流量の安定を検知した検知時間が記憶され、経過時間がカウントされる（殺菌積算タイマーＯＮ）（ステップ５０）。なお、ここでいう「流量が安定した」とは、流量の変化が２５％以内に収まった状態を表す。
なお、流量は循環ポンプ７６の回転数によって検知してもよい。
【００７１】
そして、熱消費のための動作運転命令がなされているか監視しつつ（ステップ５１）、熱消費のための動作運転命令がないまま、所定時間が経過すると（ステップ５２）、殺菌積算タイマーのカウントをリセットし（ステップ５３）、殺菌運転モードを終了する（ステップ５４）。そして、熱消費のための動作運転命令が行われているかどうかを確認する（ステップ４２）。この時、熱消費のための動作運転命令が行われていない場合には、待機運転となり、蓄熱運転が単独で行われる蓄熱運転モードを開始する。そして、熱消費のための動作運転命令がなされない場合、ステップ４２からステップ５４を繰り返す。
【００７２】
一方、ステップ４２、ステップ４８、ステップ５１において、熱消費のための動作運転命令がなされていた場合には、ステップ５５に移行して、蓄熱積算タイマー及び殺菌積算タイマーをリセットする。そして、熱消費のための動作運転モードとなり、給湯運転モードと追い焚き運転モードと暖房運転モード等の所望運転モードが実行され、終了する（ステップ５６）。その後、ステップ４２に戻る。
【００７３】
第３実施形態のコージェネレーションシステムであれば、流量の安定によって検知するため、貯留タンク１５から取り出した湯水が滞留流路内に行き渡っているかどうかを確認でき、レジオネラ菌を確実に殺菌できる。
【００７４】
上記した実施形態では、熱消費のための動作運転を実行する度に蓄熱積算タイマーをリセットしたが、熱消費のための動作運転の要求如何に係わらず、蓄熱積算タイマーの計時を続けてもよい。
即ち、熱消費のための動作運転が実行されても、水流が生じ無い流路があり、この流路ではレジオネラ菌が増殖しえる。
例えば先の実施形態では、風呂の追い焚きが実行された場合には、蓄熱積算タイマーがリセットされるが、風呂の追い焚きが実行されても熱器具用流路６７には水流が生じず、熱器具用熱交換器１７内でレジオネラ菌が増殖しえる。そのため風呂の追い焚きだけが何回も繰り返されると、いつまでたっても蓄熱積算タイマーが所定時間の経過を計時することができない。
そのため熱器具用熱交換器１７内でレジオネラ菌が増殖してしまう懸念がある。
また、熱消費のための動作運転が給湯運転モードである場合には、滞留流路のいずれにも水流が生じないので、滞留流路内の殺菌を行うことができないこととなってしまう。
そこで、熱消費のための動作運転の要求如何に係わらず、蓄熱積算タイマーの計時を続け、殺菌運転モードが実行されている間に、熱消費のための動作運転があれば、殺菌運転モードを一時的に停止して熱消費のための動作運転を実行する構成を採用してもよい。
言い換えると、蓄熱運転を単独で行う蓄熱運転モード時の熱消費のための動作運転命令の監視を省略してもよい。
具体的には、第４実施形態として説明する。図１７は、本発明の第４実施形態の湯水強制循環機能の動作であり、上記した趣旨にのっとり、熱消費のための動作運転の要求如何に係わらず、蓄熱積算タイマーの計時を続け、熱消費のための動作運転があれば、殺菌運転モードを一次的に停止して熱消費のための動作運転を実行するものである。
【００７５】
まず、蓄熱運転を開始する（ステップ６１）。この時、制御手段によって、蓄熱運転の開始時間が記憶され、経過時間がカウントされる（蓄熱積算タイマーＯＮ）（ステップ６２）。所定時間が経過すると（ステップ６３）、蓄熱積算のカウントをリセットし（蓄熱積算タイマーリセット）（ステップ６４）、貯湯タンク１５の下部の温度を温度センサ３０ｄで検知し、所定温度以上であれば（ステップ６５）、殺菌運転１モード、殺菌運転２モード、殺菌運転３モード、殺菌運転４モードの４つの殺菌運転の内、いずれかの殺菌運転モードが選択され、選択された殺菌運転モードが開始される（ステップ６６）。この時、制御手段によって、殺菌運転モードの種類と殺菌運転モードの開始時間が記憶され、経過時間がカウントされる（殺菌積算タイマーＯＮ）（ステップ６７）。
【００７６】
なお、ステップ６５で設定される基準温度は、本実施形態では摂氏５０度以上とされている。好ましくは、摂氏６０度以上であり、さらに好ましくは摂氏７０度以上となっている。
【００７７】
そして、熱消費のための動作運転命令がなされているか監視しつつ（ステップ６８）、熱消費のための動作運転命令がないまま、所定時間が経過すると（ステップ６９）、殺菌積算タイマーをリセットし（ステップ７０）、殺菌運転モードを終了する（ステップ７１）。そして、制御手段によって、殺菌運転モードの終了時間が記憶され、経過時間がカウントされる（蓄熱積算タイマーＯＮ）（ステップ６２）。熱消費のための動作運転命令がなされない場合、ステップ６２からステップ７１を繰り返す。
一方、ステップ６８において、熱消費のための動作運転命令がなされていた場合には、ステップ７２に移行して、殺菌積算タイマーをリセットする。そして、熱消費のための動作運転モードとなり、給湯運転モードと追い焚き運転モードと暖房運転モード等の所望運転モードが実行され、終了する（ステップ７３）。その後、ステップ６２に戻る。
【００７８】
上記した第４実施形態では、ステップ７３の後、ステップ６２に戻ったが、ステップ６５に戻ってもよい。
【００７９】
上記した第１実施形態では、滞留流路に関わらずコージェネレーションシステム全体で蓄熱積算タイマーの計時を行ったが、本発明はこれに限定されるものではなく、滞留流路毎に蓄熱積算タイマーの計時を行ってもよい。例えば、滞留流路毎の対応する弁の閉鎖を基準として蓄熱積算タイマーの計時を行い、所定時間を経過すると、その滞留流路に対応した殺菌運転モードを行う。なお、殺菌運転モードと監視する弁の対応関係は、殺菌運転１モードと比例弁９１、殺菌運転２モードと電磁弁８５、殺菌運転３モードと電磁弁８６、殺菌運転４モードと三方弁７３のポート７３ａ、となっている。当該動作の一例を挙げると、三方弁７３のポート７３ａが閉鎖状態となることを基準として、蓄熱積算タイマーの計時を行い、所定時間を経過すると、殺菌運転４モードを行う。
【００８０】
上記した実施形態では、殺菌運転モードにおいて、循環する湯水の流量を制御し、循環する湯水の流速が低速になるように制御したが、本発明はこれに限定されるものではなく、循環する湯水の流速が高速になるように制御してもよい。循環する湯水の流速が高速になるように制御した場合、滞留流路（タンク迂回流路５６や分岐路８７）内の湯水が押しやられ、レジオネラ菌とともに、貯留タンク１５の上部に流入し、レジオネラ菌を死滅させることが可能である。
【００８１】
上記した実施形態では、蓄熱運転モード→殺菌運転モード→蓄熱運転モード→・・・の順に蓄熱運転モードと殺菌運転モードを交互に繰り返したが、本発明はこれに限定されるものではなく、蓄熱運転モード→殺菌運転１モード→殺菌運転２モード→殺菌運転３モード→殺菌運転４モード→蓄熱運転モード→・・・のように連続的に殺菌運転モードを行ってもよい。
【００８２】
また、上記した各々の実施形態の湯水強制循環機能の動作フローは組み合わせてもよい。
【００８３】
上記した実施形態では、それぞれの殺菌運転モードを単独で行ったが、本発明はこれに限定されるものではなく、複数の殺菌運転モードを組み合わせてもよい。例えば、殺菌運転２モードと殺菌運転３モードの２つの殺菌運転モードを同時に行ってもよいし、殺菌運転２モードと殺菌運転３モードと殺菌運転４モードの３つの殺菌運転モードを同時に行ってもよい。また、殺菌運転モードの組み合わせは限定されない。
【符号の説明】
【００８４】
１  コージェネレーションシステム
２  発電ユニット（発電部）
１２  熱回収用回路（貯湯時水流発生流路）
１５  貯留タンク
２１  給湯経路（給湯時水流発生流路）
１０１，１０２  温度センサ（滞留水温度検知手段）
【図１】
0005811330.tif 000002
【図２】
0005811330.tif 000003
【図３】
0005811330.tif 000004
【図４】
0005811330.tif 000005
【図５】
0005811330.tif 000006
【図６】
0005811330.tif 000007
【図７】
0005811330.tif 000008
【図８】
0005811330.tif 000009
【図９】
0005811330.tif 000010
【図１０】
0005811330.tif 000011
【図１１】
0005811330.tif 000012
【図１２】
0005811330.tif 000013
【図１３】
0005811330.tif 000014
【図１４】
0005811330.tif 000015
【図１５】
0005811330.tif 000016
【図１６】
0005811330.tif 000017
【図１７】
0005811330.tif 000018